(57)【要約】【課題】  ドレンパンを取り外すことなく、抗菌剤のメンテナンスが可能となるようにする。【解決手段】  熱交換器、送風機および前記熱交換器からのドレン水Ｄを受け止めるドレンパン８を備え、前記送風機により空気吸込口１１から吸い込まれた空気を前記熱交換器を通過させた後に空気吹出口から室内へ吹き出すように構成した空気調和機において、前記ドレンパン８内に、ドレン水Ｄに対して静菌作用を発揮する抗菌剤１９，１９・・を有する抗菌剤ユニットＫを配置するとともに、該抗菌剤ユニットＫの支持部材１４を、前記空気吸込口１１側から着脱操作できる位置に臨ませて、抗菌剤ユニットＫの支持部材１４を空気吸込口１１側から着脱操作することにより、ドレンパン８を取り外すことなく、抗菌剤ユニットＫの交換あるいは追加を容易に行うことができるようにしている。【選択図】        図２
2006194494.tif 000002
【特許請求の範囲】
【請求項１】
熱交換器（６）、送風機（７）および前記熱交換器（６）からのドレン水（Ｄ）を受け止めるドレンパン（８）を備え、前記送風機（７）により空気吸込口（１１）から吸い込まれた空気を前記熱交換器（６）を通過させた後に空気吹出口（１３）から室内へ吹き出すように構成した空気調和機であって、前記ドレンパン（８）内には、ドレン水（Ｄ）に対して静菌作用を発揮する抗菌剤（１９），（１９）・・を有する抗菌剤ユニット（Ｋ）を配置するとともに、該抗菌剤ユニット（Ｋ）の支持部材（１４）を、前記空気吸込口（１１）側から着脱操作できる位置に臨ませたことを特徴とする空気調和機。
【請求項２】
熱交換器（６）、送風機（７）および前記熱交換器（６）からのドレン水（Ｄ）を受け止めるドレンパン（８）を備え、前記送風機（７）により空気吸込口（１１）から吸い込まれた空気を前記熱交換器（６）を通過させた後に空気吹出口（１３）から室内へ吹き出すように構成した空気調和機であって、前記ドレンパン（８）内には、ドレン水（Ｄ）に対して静菌作用を発揮する抗菌剤（１９），（１９）・・を有する抗菌剤ユニット（Ｋ）を配置するとともに、該抗菌剤ユニット（Ｋ）の支持部材（１４）を、前記空気吹出口（１３）側から着脱操作できる位置に臨ませたことを特徴とする空気調和機。
【請求項３】
前記抗菌剤ユニット（Ｋ）を、多数の開孔部（２１），（２１）・・を有する保持容器（２０）内に粒状あるいはペレット状の多数の抗菌剤（１９），（１９）・・を収納して構成したことを特徴とする請求項１および２のいずれか一項記載の空気調和機。
【請求項４】
前記抗菌剤ユニット（Ｋ）を、合成樹脂等の材料からなる保持材（２２）に粒状あるいはペレット状の多数の抗菌剤（１９），（１９）・・を練り込んで構成したことを特徴とする請求項１および２のいずれか一項記載の空気調和機。
【発明の詳細な説明】
【技術分野】
【０００１】
本願発明は、空気調和機に関し、さらに詳しくはメンテナンスが容易で静菌作用（換言すれば、細菌の繁殖抑制作用）に優れた抗菌剤の取付構造を有する空気調和機に関するものである。
【背景技術】
【０００２】
一般の空気調和機は、熱交換器および送風機を備え、前記熱交換器の下方には、ドレン水を受け止めるドレンパンを設けて構成されているが、ドレンパン内のドレン水には細菌が繁殖することが多い。
【０００３】
ドレン水に細菌が繁殖すると、スライムが生成され、異臭やドレン配管の詰まりを発生させるという不具合が生ずる。
【０００４】
上記不具合に対処するために、ドレンパン内に抗菌剤を入れてドレン水に浸漬させて細菌の増殖を防止することとされている（特許文献１参照）。
【０００５】
【特許文献１】特開２０００−７４４０９号公報。
【発明の開示】
【発明が解決しようとする課題】
【０００６】
ところが、上記特許文献１に開示されているように、ドレンパン内に抗菌剤を配設する場合、抗菌剤の交換あるいは追加等の際には、ドレンパンを取り外さなければならず、抗菌剤のメンテナンス作業が面倒なものとなるという不具合が存する。
【０００７】
本願発明は、上記の点に鑑みてなされたもので、ドレンパンを取り外すことなく、抗菌剤のメンテナンスが可能となるようにすることを目的としている。
【課題を解決するための手段】
【０００８】
本願発明では、上記課題を解決するための第１の手段として、熱交換器６、送風機７および前記熱交換器６からのドレン水Ｄを受け止めるドレンパン８を備え、前記送風機７により空気吸込口１１から吸い込まれた空気を前記熱交換器６を通過させた後に空気吹出口１３から室内へ吹き出すように構成した空気調和機において、前記ドレンパン８内に、ドレン水Ｄに対して静菌作用を発揮する抗菌剤１９，１９・・を有する抗菌剤ユニットＫを配置するとともに、該抗菌剤ユニットＫの支持部材１４を、前記空気吸込口１１側から着脱操作できる位置に臨ませている。
【０００９】
上記のように構成したことにより、ドレンパン８内にドレン水Ｄが存在しているときには、抗菌剤ユニットＫに含まれる抗菌剤１９，１９・・の静菌作用によってドレン水Ｄにおける細菌増殖が抑制されることとなり、ドレンパン８内におけるスライムの増殖を防止できる。一方、抗菌剤ユニットＫの支持部材１４を空気吸込口１１側から着脱操作することにより、ドレンパン８を取り外すことなく、抗菌剤ユニットＫの交換あるいは追加を容易に行うことができる。従って、抗菌剤ユニットＫに対するメンテナンスを極めて容易に行うことができる。
【００１０】
本願発明では、上記課題を解決するための第２の手段として、熱交換器６、送風機７および前記熱交換器６からのドレン水Ｄを受け止めるドレンパン８を備え、前記送風機７により空気吸込口１１から吸い込まれた空気を前記熱交換器６を通過させた後に空気吹出口１３から室内へ吹き出すように構成した空気調和機において、前記ドレンパン８内に、ドレン水Ｄに対して静菌作用を発揮する抗菌剤１９，１９・・を有する抗菌剤ユニットＫを配置するとともに、該抗菌剤ユニットＫの支持部材１４を、前記空気吹出口１３側から着脱操作できる位置に臨ませている。
【００１１】
上記のように構成したことにより、ドレンパン８内にドレン水Ｄが存在しているときには、抗菌剤ユニットＫに含まれる抗菌剤１９，１９・・の静菌作用によってドレン水Ｄにおける細菌増殖が抑制されることとなり、ドレンパン８内におけるスライムの増殖を防止できる。一方、抗菌剤ユニットＫの支持部材１４を空気吹出口１３側から着脱操作することにより、ドレンパン８を取り外すことなく、抗菌剤ユニットＫの交換あるいは追加を容易に行うことができる。従って、抗菌剤ユニットＫに対するメンテナンスを極めて容易に行うことができる。
【００１２】
本願発明では、さらに、上記課題を解決するための第３の手段として、上記第１又は第２の手段を備えた空気調和機において、前記抗菌剤ユニットＫを、多数の開孔部２１，２１・・を有する保持容器２０内に粒状あるいはペレット状の多数の抗菌剤１９，１９・・を収納して構成することもでき、そのように構成した場合、ドレン水Ｄと抗菌剤１９，１９・・との接触面積を大きくできるところから、静菌効果を長時間持続できる。
【００１３】
本願発明では、さらに、上記課題を解決するための第４の手段として、上記第１又は第２の手段を備えたドレン排出装置において、前記抗菌剤ユニットＫを、合成樹脂等の材料からなる保持材２２に粒状あるいはペレット状の多数の抗菌剤１９，１９・・を練り込んで構成することもでき、そのように構成した場合、ドレン水Ｄと抗菌剤１９，１９・・との接触面積を大きくできるところから、静菌効果を長時間持続できる。
【発明の効果】
【００１４】
本願発明の第１の手段によれば、熱交換器６、送風機７および前記熱交換器６からのドレン水Ｄを受け止めるドレンパン８を備え、前記送風機７により空気吸込口１１から吸い込まれた空気を前記熱交換器６を通過させた後に空気吹出口１３から室内へ吹き出すように構成した空気調和機において、前記ドレンパン８内に、ドレン水Ｄに対して静菌作用を発揮する抗菌剤１９，１９・・を有する抗菌剤ユニットＫを配置するとともに、該抗菌剤ユニットＫの支持部材１４を、前記空気吸込口１１側から着脱操作できる位置に臨ませて、ドレンパン８内にドレン水Ｄが存在しているときには、抗菌剤ユニットＫに含まれる抗菌剤１９，１９・・の静菌作用によってドレン水Ｄにおける細菌増殖が抑制されるようにしたので、ドレンパン８内におけるスライムの増殖を防止できるという効果がある。しかも、抗菌剤ユニットＫの支持部材１４を空気吸込口１１側から着脱操作することにより、ドレンパン８を取り外すことなく、抗菌剤ユニットＫの交換あるいは追加を容易に行うことができるので、抗菌剤ユニットＫに対するメンテナンスを極めて容易に行うことができるという効果もある。
【００１５】
本願発明の第２の手段によれば、熱交換器６、送風機７および前記熱交換器６からのドレン水Ｄを受け止めるドレンパン８を備え、前記送風機７により空気吸込口１１から吸い込まれた空気を前記熱交換器６を通過させた後に空気吹出口１３から室内へ吹き出すように構成した空気調和機において、前記ドレンパン８内に、ドレン水Ｄに対して静菌作用を発揮する抗菌剤１９，１９・・を有する抗菌剤ユニットＫを配置するとともに、該抗菌剤ユニットＫの支持部材１４を、前記空気吹出口１３側から着脱操作できる位置に臨ませて、ドレンパン８内にドレン水Ｄが存在しているときには、抗菌剤ユニットＫに含まれる抗菌剤１９，１９・・の静菌作用によってドレン水Ｄにおける細菌増殖が抑制されることとなり、ドレンパン８内におけるスライムの増殖を防止できるという効果がある。しかも、抗菌剤ユニットＫの支持部材１４を空気吹出口１３側から着脱操作することにより、ドレンパン８を取り外すことなく、抗菌剤ユニットＫの交換あるいは追加を容易に行うことができるので、抗菌剤ユニットＫに対するメンテナンスを極めて容易に行うことができるという効果もある。
【００１６】
本願発明の第３の手段におけるように、上記第１又は第２の手段を備えたドレン排出装置において、前記抗菌剤ユニットＫを、多数の開孔部２１，２１・・を有する保持容器２０内に粒状あるいはペレット状の多数の抗菌剤１９，１９・・を収納して構成することもでき、そのように構成した場合、ドレン水Ｄと抗菌剤１９，１９・・との接触面積を大きくできるところから、静菌効果を長時間持続できる。
【００１７】
本願発明の第４の手段におけるように、上記第１又は第２の手段を備えたドレン排出装置において、前記抗菌剤ユニットＫを、合成樹脂等の材料からなる保持材２２に粒状あるいはペレット状の多数の抗菌剤１９，１９・・を練り込んで構成することもでき、そのように構成した場合、ドレン水Ｄと抗菌剤１９，１９・・との接触面積を大きくできるところから、静菌効果を長時間持続できる。
【発明を実施するための最良の形態】
【００１８】
以下、添付の図面を参照して、本願発明の幾つかの好適な実施の形態について説明する。
【００１９】
本実施の形態にかかる空気調和機は、天井埋込式空気調和機用室内機とされており、図１に示すように、天井Ｆに形成された矩形形状の開口１の上方に位置して天井裏の棟木（図示省略）に対して吊りボルト（図示省略）を介して吊り下げ支持された空気調和機本体３と、前記開口１を覆う化粧パネル４とによって構成されている。
【００２０】
前記空気調和機本体１は、略直方体形状のケーシング５内に略環状の熱交換器６および該熱交換器６内に位置する送風機７を配設するとともに、前記熱交換器６の下方には、該熱交換器６から落下するドレン水Ｄを受け止めるドレン収容部となるドレンパン８が配設されている。符号９はベルマウス、１０は空気通路である。
【００２１】
前記化粧パネル４は、前記開口１を覆うに足る大きさを有する矩形形状とされており、その中央部には、空気吸込口１１が形成され、該空気吸込口１１の回りには、前記空気通路１０とそれぞれ連通する４個の空気吹出口１３が形成されている。
【００２２】
前記熱交換器６は、開放部を有する略環状とされており、例えばクロスフィンコイルタイプの熱交換器とされている。
【００２３】
前記ドレンパン８は、前記熱交換器６の形状と対応するように、開放部を有する略環状とされており、断面Ｕ字状とされている。
【００２４】
第１の実施の形態
図２および図３には、本願発明の第１の実施の形態にかかる空気調和機の要部が示されている。
【００２５】
この場合、図２に示すように、前記ドレンパン８内には、ドレン水Ｄに対して静菌作用を発揮する抗菌剤１９，１９・・を有する抗菌剤ユニットＫが熱交換器６と内周壁（即ち、吸込口側周壁）８ａとの間に位置して配置されており、該抗菌剤ユニットＫの支持部材１４は、前記ドレンパン８の内周壁（即ち、吸込口側周壁）８ａの上方を経て前記ベルマウス９方向に延び、その内端部１４ａは、前記ベルマウス９の内周上端に形成された鍔部９ａに対してビス１５により着脱可能に取り付けられている。そして、前記ベルマウス９と前記ドレンパン８との間には、作業用開口１６が形成されており、該作業用開口１６は、着脱自在な蓋板１７により覆蓋されている。
【００２６】
上記のように構成したことにより、ドレンパン８内にドレン水Ｄが存在しているときには、抗菌剤ユニットＫに含まれる抗菌剤１９，１９・・の静菌作用によってドレン水Ｄにおける細菌増殖が抑制されることとなり、ドレンパン８内におけるスライムの増殖を防止できる。
【００２７】
一方、図３に示すように、化粧パネル４を取り外した状態で、蓋板１７を取り外すと、ビス１５を作業用開口１６（換言すれば、空気吸込口１１側）から着脱操作することができるようになる。その結果、抗菌剤ユニットＫの支持部材１４を、作業用開口１６から着脱操作することにより、ドレンパン８を取り外すことなく、抗菌剤ユニットＫの交換あるいは追加（換言すれば、抗菌剤ユニットＫに対するメンテナンス）を容易に行うことができることとなる。
【００２８】
ところで、例えば図４（イ）の正面図、（ロ）の内部拡大図および図５（イ）の平面図、（ロ）の内部拡大図に示すように、多数の開孔部２１，２１・・を有する円筒形状の保持容器２０内に粒状またはペレット状の抗菌剤１９，１９・・を収容して抗菌剤ユニットＫを構成する場合もあり、例えば図６（イ）の正面図、（ロ）の内部拡大図および図７（イ）の平面図、（ロ）の内部拡大図に示すように、多数の開孔部２１，２１・・を有するシート形状の保持容器２０内に粒状またはペレット状の抗菌剤１９，１９・・を収容して抗菌剤ユニットＫを構成する場合もある。なお、図７（ハ）の内部拡大図に示すように、保持容器２０を外周部を溶着した網状部材で構成する場合もある。これらの場合、開孔部２１の大きさは、抗菌剤１９の粒子径あるいはペレット径より小さくされている。なお、保持容器２０の形状は、上記以外の形状（例えば、多角形筒形状あるいは楕円筒形状）でもよく、その壁面は、網、多孔質、不織布、パンチングプレート等のように開孔部（明確な開口部がなくとも水の出入りが可能であればよい）をもつものであればなんでも良い。また、開孔部の形状はなんでもよい。また、保持容器２１の材質は、金属、合成樹脂、布等のように水に対して大局的に不溶性のものであれば良い。さらに、保持容器２０は、自立性（即ち、容器自体で形状を保持できるもの）があってもなくても（例えば、袋のように容器自体で形状を保てないもの）良い。
【００２９】
また、図８（イ）の正面図、（ロ）の内部拡大図および図９（イ）の平面図、（ロ）の内部拡大図に示すように、合成樹脂等の材料からなる保持材２２に抗菌剤１９，１９・・を練り込んで抗菌剤ユニットＫを構成する場合もある。この場合、保持材２２の形状は、円柱形状、多角形柱形状、楕円柱形状、シート形状等のいずれでもよい。
【００３０】
第２の実施の形態
図１０および図１１には、本願発明の第２の実施の形態にかかる空気調和機の要部が示されている。
【００３１】
この場合、ドレンパン８内においてその外周壁（即ち、吹出口側周壁）８ｂと熱交換器６との間に位置して抗菌剤ユニットＫが配置されており、該抗菌剤ユニットＫの支持部材１４は、略逆Ｌ字状を呈し、前記ドレンパン８の外周壁（即ち、吹出口側周壁）８ｂに係止されている。つまり、支持部材１４の外端部１４ａは、空気吹出口１３から着脱操作が可能となっているのである。
【００３２】
上記のように構成したことにより、ドレンパン８内にドレン水Ｄが存在しているときには、抗菌剤ユニットＫに含まれる抗菌剤１９，１９・・の静菌作用によってドレン水Ｄにおける細菌増殖が抑制されることとなり、ドレンパン８内におけるスライムの増殖を防止できる。
【００３３】
一方、図１１に示すように、化粧パネル４の空気吹出口１３から抗菌剤ユニットＫの支持部材１４を着脱操作することにより、ドレンパン８を取り外すことなく、抗菌剤ユニットＫの交換あるいは追加（換言すれば、抗菌剤ユニットＫに対するメンテナンス）を容易に行うことができることとなる。
【００３４】
なお、抗菌剤ユニットＫの構成は、第１の実施の形態におけると同様の形態を取り得ることは勿論である。
【００３５】
その他の構成および作用効果は、第１の実施の形態におけると同様なので説明を省略する。
【００３６】
上記各実施の形態において説明したように、抗菌剤ユニットＫを配設し得る領域は、図１２において斜線で示す部分（即ち、ドレンパン８における内周壁８ａおよび外周壁８ｂの近傍）となる。
【００３７】
なお、上記各実施の形態において使用されている抗菌剤としては、銀（Ａｇ）、銅（Ｃｕ）、亜鉛（Ｚｎ）、錫（Ｓｎ）などの無機化合物を主体とする無機系抗菌剤、さらにパラクロロメタキシレノールおよび２−５−ジクロロ−４−ブロモフェノールなどのフェノール類、Ｎ−（フロロジクロロメチルチオ）−フタルイミドおよびＮ，Ｎ−ジメチル−Ｎ′−フェニル−Ｎ′−（フロロジクロロメチルチオ）−スルファミドなどのハロアルキル類、その他の有機系抗菌剤などがある。
【００３８】
また、上記無機系抗菌剤の場合、抗菌剤を、例えば炭酸カルシウム、ゼオライト、カオリンクレー、珪藻土、タルク、ベンナイト、セラミックス、活性炭、アパタイトなどに担持させた無機系抗菌剤を採用することもできる。セラミックス、活性炭、アパタイトなどに担持させた無機系抗菌剤は抗菌性が高く、非揮発性であり、樹脂と混練し易いなどのメリットがある。さらに、無機系抗菌剤を担持した水溶解性ガラス等のように、水に溶けることによって殺菌効果のある抗菌剤が溶出する粒状又はペレット状のものなどがある。
【００３９】
上記実施の形態においては四方吹出タイプの天井埋込式空気調和機について説明したが、本願発明は、二方吹出タイプあるいは一方吹出タイプの天井埋込式空気調和機にも適用可能なことは勿論である。
【図面の簡単な説明】
【００４０】
【図１】本願発明の第１の実施の形態にかかる空気調和機の縦断面図である。
【図２】本願発明の第１の実施の形態にかかる空気調和機の要部拡大断面図である。
【図３】本願発明の第１の実施の形態にかかる空気調和機における抗菌剤ユニットの取り外し状態を示す要部拡大断面図である。
【図４】本願発明の第１の実施の形態にかかる空気調和機において使用される抗菌剤の使用形態例Ｉを示すものであり、（イ）は正面図、（ロ）は内部拡大図である。
【図５】本願発明の第１の実施の形態にかかる空気調和機において使用される抗菌剤の使用形態例Ｉを示すものであり、（イ）は平面図、（ロ）は内部拡大図である。
【図６】本願発明の第１の実施の形態にかかる空気調和機において使用される抗菌剤の使用形態例ＩＩを示すものであり、（イ）は正面図、（ロ）は内部拡大図である。
【図７】本願発明の第１の実施の形態にかかる空気調和機において使用される抗菌剤の使用形態例ＩＩを示すものであり、（イ）は平面図、（ロ）は内部拡大図である。
【図８】本願発明の第１の実施の形態にかかる空気調和機において使用される抗菌剤の使用形態例ＩＩＩを示すものであり、（イ）は正面図、（ロ）は内部拡大図である。
【図９】本願発明の第１の実施の形態にかかる空気調和機において使用される抗菌剤の使用形態例ＩＩＩを示すものであり、（イ）は平面図、（ロ）は内部拡大図、（ハ）は変形例を示す内部拡大図である。
【図１０】本願発明の第２の実施の形態にかかる空気調和機の縦断面図である。
【図１１】本願発明の第２の実施の形態にかかる空気調和機の要部拡大断面図である。
【図１２】本願発明の実施の形態にかかる空気調和機のドレンパンにおける抗菌剤ユニットの配置可能領域を示す平面図である。
【符号の説明】
【００４１】
６は熱交換器
７は送風機
８はドレンパン
１１は空気吸込口
１３は空気吹出口
１４は支持部材
１９は抗菌剤
２０は保持容器
２１は開孔部
２２は保持部材
Ｄはドレン水
Ｋは抗菌剤ユニット
【図１】
2006194494.tif 000003
【図２】
2006194494.tif 000004
【図３】
2006194494.tif 000005
【図４】
2006194494.tif 000006
【図５】
2006194494.tif 000007
【図６】
2006194494.tif 000008
【図７】
2006194494.tif 000009
【図８】
2006194494.tif 000010
【図９】
2006194494.tif 000011
【図１０】
2006194494.tif 000012
【図１１】
2006194494.tif 000013
【図１２】
2006194494.tif 000014